(57)【要約】【課題】シーリングレス構造において、防水性を保ちつつ、目地が目立つのを抑制する。【解決手段】外壁構造は、隣り合う外壁材４が突き付けて設けられた外壁構造である。一対の外壁材４の屋内側に配置され、当該一対の外壁材４の間の目地８を跨ぐように配置されたジョイナ２を備える。ジョイナ２は、目地８の両側に互いに離間するように設けられ、一対の外壁材４のそれぞれの屋内側の面に圧接された一対の止水材２３を有する。一対の外壁材４の隣り合う端面は、屋内外方向に対して傾斜し、且つ、互いに平行である。【選択図】図５
2018131818.tif 000002
【特許請求の範囲】
【請求項１】
隣り合う外壁材が突き付けて設けられた外壁構造であって、
前記一対の外壁材の屋内側に配置され、当該一対の外壁材の間の目地を跨ぐように配置されたジョイナを備え、
前記ジョイナは、前記目地の両側に互いに離間するように設けられ、前記一対の外壁材のそれぞれの屋内側の面に圧接された一対の止水材を有し、
前記一対の外壁材の隣り合う端面は、屋内外方向に対して傾斜し、且つ、互いに平行である
ことを特徴とする外壁構造。
【請求項２】
前記ジョイナは、前記目地に対応する部位に、前記目地から浸入する水を下方に流すスペースが設けられている
ことを特徴とする請求項１記載の外壁構造。
【請求項３】
前記ジョイナは、前記外壁材の前記目地側の端部に接着されている
ことを特徴とする請求項１又は２記載の外壁構造。
【請求項４】
前記外壁材を壁下地に取り付ける外壁材取付具をさらに備え、
前記ジョイナは、接着剤が設けられる接着剤設置部を有し、
前記接着剤設置部には、前記外壁材取付具との干渉を防ぐためのスペースが設けられている
ことを特徴とする請求項３記載の外壁構造。
【発明の詳細な説明】
【技術分野】
【０００１】
本発明は、外壁構造に関する。特に、隣り合う外壁材の間の目地にシーリングが設けられず、これら外壁材同士が突付けて設けられた、所謂シーリングレスな外壁構造（以下、「シーリングレス構造」という）に関する。
【背景技術】
【０００２】
従来より、デザイン性向上及び省施工等を目的としたシーリングレス構造がある。
【０００３】
特許文献１には、その一例が開示されている。この外壁構造は、隣り合う一対の外壁材の一方の裏合じゃくり部と、他方の段差加工のない縦端面とが接合されており、上記裏合じゃくり部には、下地材に固定される接合用役物の一部が挿入されている。そして、この挿入された接合用役物の部位と裏合じゃくり部との間、上記挿入された接合用役物の部位と段差加工のない縦端面との間に、パッキン材が介設されることにより、シール面が形成されている。この外壁構造において、裏合じゃくり部が設けられた端面及びもう一方の縦端面は、ともに屋内外方向に平行となっている。
【先行技術文献】
【特許文献】
【０００４】
【特許文献１】特許第５２７９０８６号公報
【発明の概要】
【発明が解決しようとする課題】
【０００５】
上記特許文献１記載の外壁構造は、裏合じゃくり部に一部が挿入された接合用役物と当該裏合じゃくり部及び縦端面とによってシール面を形成することにより、防水性を付与しているものの、隣り合う外壁材と対向する端面が屋内外方向に平行となっている。このため、外壁材が寸法収縮して目地が開くと、この目地に明確な影が生じて目立つという問題がある。
【０００６】
本発明は、上記事情に鑑みてなされたものであり、その目的とするところは、シーリングレス構造において、防水性を保ちつつ、目地が目立つのを抑制することにある。
【課題を解決するための手段】
【０００７】
本発明の一態様に係る外壁構造は、隣り合う外壁材が突き付けて設けられた外壁構造であって、前記一対の外壁材の屋内側に配置され、当該一対の外壁材の間の目地を跨ぐように配置されたジョイナを備え、前記ジョイナは、前記目地の両側に互いに離間するように設けられ、前記一対の外壁材のそれぞれの屋内側の面に圧接された一対の止水材を有し、前記一対の外壁材の隣り合う端面は、屋内外方向に対して傾斜し、且つ、互いに平行であることを特徴とする。
【０００８】
また、外壁構造において、前記ジョイナは、前記目地に対応する部位に、前記目地から浸入する水を下方に流すスペースが設けられていることが好ましい。
【０００９】
また、外壁構造において、前記ジョイナは、前記外壁材の前記目地側の端部に接着されていることが好ましい。
【００１０】
また、外壁構造は、前記外壁材を壁下地に取り付ける外壁材取付具をさらに備え、前記ジョイナは、接着剤が設けられる接着剤設置部を有し、前記接着剤設置部には、前記外壁材取付具との干渉を防ぐためのスペースが設けられていることが好ましい。
【発明の効果】
【００１１】
本発明の外壁構造によれば、シーリングレス構造において、目地から浸入する水が外壁材の裏側に広がるのを抑制しつつ、目地が目立つのを抑制することができる。
【図面の簡単な説明】
【００１２】
【図１】図１は、本発明の一実施形態に係る外壁構造の一部の外壁材を省略した斜視図である。
【図２】図２は、同上のジョイナの斜視図である。
【図３】図３Ａは、同上の外壁板の平面図である。図３Ｂは、同上の外壁板の正面図である。図３Ｃは、同上の外壁板の側面図である。
【図４】図４Ａは、同上の出隅材の平面図である。図４Ｂは、同上の出隅材の正面図である。
【図５】同上の外壁構造の水平断面図である。
【発明を実施するための形態】
【００１３】
以下、本発明の一態様の実施形態について添付図面に基づいて説明する。
【００１４】
本実施形態の外壁構造は、壁下地１と、壁下地１に固定されたジョイナ２と、ジョイナ２の屋外側に配置される複数の外壁材４とを備えている。
【００１５】
壁下地１は、外壁材４の下地となる部分である。本実施形態の壁下地１は、柱１１（間柱を含む）と、柱１１の屋外側に取り付けられた透湿防水シート（図示せず）とを備えている。なお、壁下地１は、縦胴縁や横胴縁を備えていてもよい。また、壁下地１は、２×４工法における面材であってもよい。
【００１６】
ジョイナ２は、壁下地１に固定されている。ジョイナ２は、複数の外壁材４の間に形成される目地８（縦目地）に沿って配置されており、これにより、目地８を通して浸入する雨水が壁下地１に浸水するのを防ぐ。ジョイナ２は、上下方向に長尺な金属製材料により構成されており、金属板を曲げ加工することで形成されている。ジョイナ２は、図２に示すように、溝形部２１と、溝形部２１の屋外側端部からフランジ状に延出した一対の止水材保持部２２と、止水材保持部２２から外壁材４の屋内側の面に沿って延出した接着剤設置部２４と、止水材２３とを備えている。
【００１７】
溝形部２１は、屋外側が開放する断面Ｕ字状に形成されている。溝形部２１は、壁下地１の上下方向の全長にわたって連続している。溝形部２１は、隣接する外壁材４の目地８に対応する部位に配置されるように構成されており、目地８から浸入した雨水を受け、下方に流すスペース２１ａを形成する排水部としての機能を有する。溝形部２１は、壁下地１に固定される底板部２１１と、底板部２１１の左右方向の両側から屋外側に延出した一対の側板部２１２とを備えている。
【００１８】
溝形部２１は、底板部２１１が壁下地１にビス止めされることで壁下地１に取り付けられる。底板部２１１には雨水が流下するため、ビス止め用の固定具として、止水機能付ビスを用いたり、ボンデッドワッシャー等の止水ワッシャーを用いたりすることが好ましい。
【００１９】
止水材保持部２２は、止水材２３を保持する部分である。この一対の止水材保持部２２は、側板部２１２の前端部から、互いに離れる方向に延びている。止水材保持部２２は、溝形部２１の長さ方向の全長にわたって形成されている。止水材保持部２２の屋外側の面には、帯状の止水材２３が貼着されている。
【００２０】
止水材２３は、例えば軟質塩化ビニル樹脂、ＥＰＤＭやクロロプレンシリコン等の軟質材により構成される。止水材２３は、ジョイナ２が壁下地１に取り付けられた状態で、ジョイナ２の屋外側に外壁材４が設置されると、外壁材４の屋内側の面に密着するように構成される。
【００２１】
接着剤設置部２４は、止水材保持部２２の先端から、外壁材４の屋内側の面に沿って延出している。接着剤設置部２４は、平面視略矩形状の複数の板状部２５と、複数の板状部２５を区画する複数の切欠部２６とを備えている。
【００２２】
板状部２５に接着剤７が塗布された状態で、ジョイナ２の屋外側に外壁材４が設置されると、板状部２５と外壁材４との間で接着剤７が押し広げられる。このとき、外壁材４と止水材２３とは密着した状態となるため、この状態で接着剤７が硬化すると、外壁材４と止水材２３とが密着した状態で保持される。また、接着剤７が硬化することで、外壁材４の側端部を固定することができ、この側端部の浮き上がりを防ぐことができる。この浮き上がりを抑制する上で、接着剤７は、非弾性系接着剤が好ましい。
【００２３】
切欠部２６は、板状部２５の間に位置している。本実施形態のジョイナ２は、複数の切欠部２６として、長切欠部２６１と、短切欠部２６２とを有している。長切欠部２６１は、短切欠部２６２と比べて、左右方向の幅は同じであるが、上下方向の長さが長く形成されている。長切欠部２６１に対応する高さ位置には、上下方向に並ぶ外壁材４の接合部が位置するように構成されており、長切欠部２６１に対応する位置に外壁材取付具３が配置される。つまり、長切欠部２６１は外壁材取付具３との干渉を防ぐためのスペースを形成する。これにより、接着剤設置部２４を幅広に形成して、接着剤７の接着代を広く確保しても、外壁材取付具３と接着剤設置部２４との干渉を回避することができる。
【００２４】
外壁材取付具３は、図１に示すように、外壁材４を壁下地１に取り付けるための部材である。外壁材取付具３は、外壁材４を壁下地１から離れた状態で保持するように構成されており、外壁材４と壁下地１との間に通気層を形成する。外壁材取付具３は、壁下地１に固定される固定板部３１と、外壁材４を支持する支持片３２とを備えている。支持片３２は、固定板部３１から屋外側に向かって突出している。支持片３２は、当該支持片３２よりも下方に配置される外壁材４と、支持片３２よりも上方に配置される外壁材４との両方を支持可能に構成される。外壁材取付具３は、外壁材４の左右方向の両端部に対応する位置に取り付けられる。
【００２５】
外壁材４は、壁下地１に固定された外壁材取付具３を介して取り付けられている。左右方向に並ぶ外壁材４は、突き付けで接合されており、いわゆる、シーリングレス構造となっている。本実施形態の外壁構造は、複数の外壁材４として、外壁板５と、水平断面Ｌ字状の出隅材６とを備えている。
【００２６】
図３Ａ〜Ｃに本実施形態の外壁板５を示す。外壁板５は、上下方向に幅を有し、左右方向に長さを有する矩形状のパネル材である。本実施形態の外壁板５は、長手方向が左右方向に平行となるように配置されており、横張り施工される。外壁板５は、例えば、窯業系サイディング材または金属系サイディング材等により構成される。図３Ｃに示すように、外壁板５の上端部には、雄実部５２が形成されている。雄実部５２は、パネル本体５１の上端面から上方に突出している。また、外壁板５の下端部には、雌実部５３が形成されている。雌実部５３は、下方に隣り合って配置される外壁板５の雄実部５２に合いじゃくり接合される。
【００２７】
本実施形態の外壁板５の長手方向の端面は、図３Ａに示すように、外壁面を構成する面５４（外壁板５の外面）に対して傾斜しており、すなわち、屋内外方向に対して傾斜している。本実施形態の外壁板５の端面と、外壁板５の外面５４とのなす角度ａは、約４５°に形成されている。なお、この外壁板５の端面と外壁板５の外面５４とのなす角度は、４５°以上９０°未満であることが好ましく、特に、４５°または６０°が好ましい。
【００２８】
出隅材６は、図４Ａに示すように、平面視略Ｌ字状に形成されている。出隅材６の上端部には、図４Ｂに示すように、雄実部６２が形成されている。雄実部６２は、出隅材本体６１の上端面から上方に突出している。また、出隅材６の下端部には、雌実部６３が形成されている。雌実部６３は、下方に隣接して配置される出隅材６の雄実部６２に合いじゃくり接合される。
【００２９】
出隅材６における外壁板５と隣り合う端面は、外壁面を構成する面６４（出隅材６の外面）に対して傾斜しており、すなわち、屋内外方向に対して傾斜している。本実施形態の出隅材６の端面と、出隅材６の外面６４とのなす角度ｂは、約４５°に形成されている。出隅材６の端面と出隅材６の外面６４とのなす角度ｂは、４５°以上９０°未満であることが好ましく、特に、４５°または６０°が好ましい。
【００３０】
このような構成の外壁板５および出隅材６を、外壁材取付具３に対して取り付けると、図５に示すように、外壁板５と出隅材６との隣り合う端面は、互いに平行でかつ屋内外方向に対して傾斜する。言い換えると、目地８の深さ方向は、外壁面に対して傾斜している。このため、外壁面に正対すると、目地８の奥側に側面（外壁板５の端面）が見えて、目地８が浅く見えるため、外壁板５と出隅材６との間の目地８が目立たない。
【００３１】
本実施形態の外壁構造では、ジョイナ２の接着剤設置部２４と、外壁板５および出隅材６の裏面とが接着されているため、外壁板５等に寸法収縮が生じても、目地８が拡がりにくい構造となっている。しかし、万が一、外壁板５等の寸法収縮により目地８が拡がったとしても、外壁面に正対した状態では目地８の側面が見えるため、目地８が目立つのが抑制される。
【００３２】
また、ジョイナ２は、図５に示すように、溝形部２１が外壁材４の間の目地８を屋内側から跨ぐように配置され、一対の止水材保持部２２が、外壁板５および出隅材６との間で止水材２３を圧接した状態で保持する。このため、仮に、目地８から雨水が浸入しても、溝形部２１で雨水を受けることができる上に、外壁板５および出隅材６の屋内側の面に沿って雨水が横走りしても、雨水を溝形部２１に流し込むことができる。この結果、シーリングレス構造であっても、壁下地１への浸水を防ぐことができる。
【００３３】
〔効果〕
以上説明したように、本実施形態の外壁構造は、隣り合う外壁材４が突き付けて設けられた外壁構造である。外壁構造は、一対の外壁材４の間の目地８を、屋内側から跨ぐように配置されたジョイナ２とを備える。ジョイナ２は、一対の外壁材４の屋内側に配置され、当該一対の外壁材４の間の目地８を跨ぐように配置される。ジョイナ２は、一対の外壁材４のそれぞれの屋内側の面に圧接する一対の止水材２３を有する。一対の外壁材４の隣り合う端面は、屋内外方向に対して傾斜し、且つ、互いに平行である。
【００３４】
この構成によれば、外壁材４の正面側から一対の外壁材４の間の目地８を見た場合に、目地８の奥側に目地８の側面が位置しているため、目地８が深く見えない。このため、目地８を目立たなくすることができる。さらに、一対の外壁材４の屋内側において、目地８を跨ぐようにジョイナ２が配置されると共に、それぞれの外壁材４に止水材２３が圧接されているため、目地８から浸入する雨水が外壁材４の裏側で広がるのを抑制することができる。
【００３５】
また、本実施形態の外壁構造は、次の付加的な構成を備える。すなわち、本実施形態の外壁構造において、ジョイナ２は、目地８に対応する部位に、目地８から浸入する水を下方に流すスペース２１ａが設けられている。
【００３６】
この構成によれば、目地８を通過した雨水を効果的に下方に流すことができ、雨水が外壁材４の裏側に広がるのを一層抑制することができる。
【００３７】
また、本実施形態の外壁構造は、次の付加的な構成を備える。すなわち、本実施形態の外壁構造において、ジョイナ２は、外壁材４の目地８側の端部に接着されている。
【００３８】
この構成によれば、隣り合う外壁材４同士が外壁材４の経年の寸法収縮により離間するのを防ぐことができて、目地８の目立つのを抑制することができる。隣り合う外壁材４の端部をジョイナ２に固定することができるため、隣り合う外壁材４の端部が浮き上がるのを抑制できる。
【００３９】
また、本実施形態の外壁構造は、次の付加的な構成を備える。すなわち、本実施形態の外壁構造は、外壁材４を壁下地１に取り付ける外壁材取付具３をさらに備える。ジョイナ２は、接着剤７を受ける接着剤設置部２４を有する。接着剤設置部２４は、外壁材取付具３との干渉を防ぐためのスペースを有している。
【００４０】
この構成によれば、外壁材取付具３が配置されていても、接着剤設置部２４の面積を広くして、外壁材４との接着代を広く確保することができる。また、外壁材４が外壁材取付具３によって取り付けられている上に、壁下地１に固定されているジョイナ２が外壁材４の裏面に接着されているので、外壁材４の裏面と壁下地１との間の距離をより一層保つことができる。このため、止水材２３の圧縮性を保つことができ、止水性の低下を抑制できる。
【００４１】
〔応用〕
上記実施形態のジョイナ２は、接着剤設置部２４を有していたが、接着剤設置部２４はなくてもよい。この場合、外壁材４の寸法収縮が生じると、複数の外壁材４の間の目地幅が拡がる可能性があるが、目地幅が拡がった場合でも、上記実施形態の外壁構造では目地８を目立たなくできる。また、止水材２３が外壁材４の裏面に圧接されているため、外壁材４に寸法収縮が生じても、ジョイナ２と外壁材４の裏面との距離が変化しない。このため、止水材２３の圧縮性に影響がなく、止水性が低下するのを抑制できる。
【００４２】
上記実施形態の外壁構造は、外壁材４として、外壁板５と出隅材６とを備えていたが、外壁材４として隣り合う一対の外壁板５を備えたものであってもよい。つまり、外壁材４は、外壁板５と出隅材６とに限定されない。
【００４３】
外壁材取付具３は、壁下地１と外壁材４との間に通気層を形成したが、通気層を形成しなくてもよい。また、通気層については、外壁材取付具３によって形成されなくてもよく、例えば、壁下地１に縦胴縁を打ち付け、当該縦胴縁によって通気層が形成されてもよい。また、外壁材取付具３がなくてもよく、固着具を介して縦胴縁に外壁材４を固定してもよい。
【００４４】
その他、上記実施形態の構成は、本発明の主旨を逸脱しない範囲であれば、適宜設計変更を行うことができる。
【符号の説明】
【００４５】
２        ジョイナ
２１ａ    スペース
２３      止水材
２４      接着剤設置部
３        外壁材取付具
４        外壁材
７        接着剤
８        目地
【図１】
2018131818.tif 000003
【図２】
2018131818.tif 000004
【図３】
2018131818.tif 000005
【図４】
2018131818.tif 000006
【図５】
2018131818.tif 000007